(57)【要約】      （修正有）【課題】中庭が確保されるとともに、屋上も有効活用がされてなる平屋の集合住宅を提供する。【解決手段】複数個の平屋住戸１０を隣接させて配設してなる集合住宅Ｋであって、各平屋住戸１０は矩形状とされ、隣接する各住戸１０の中央部に中庭１１，１１が隣接させて設けられてなるもので、屋上に遊歩道や屋上庭園が設けられ、中庭１１の適宜位置、例えば角に設けられたラセン階段２５により上がるようにした構成とした。【選択図】図１
2014092012.tif 000002
【特許請求の範囲】
【請求項１】
複数個の平屋住宅を隣接させて配設してなる集合住宅であって、
前記各平屋住宅は矩形状とされ、前記隣接する各住戸の中央部に中庭が隣接させて設けられてなることを特徴とする集合住宅。
【請求項２】
屋上に周回状に屋上庭園が設けられてなることを特徴とする請求項１記載の集合住宅。
【請求項３】
中庭に屋上庭園への階段が配設されてなることを特徴とする請求項２記載の集合住宅。
【請求項４】
階段がラセン階段とされてなることを特徴とする請求項３記載の集合住宅。
【請求項５】
ラセン階段の上り口上の半ピッチ分の踏板が回転収納可能とされてなることを特徴とする請求項４記載の集合住宅。
【請求項６】
ラセン階段の踏板下のスペースが収納スペースとされてなることを特徴とする請求項４記載の集合住宅。
【請求項７】
屋上庭園の通路に日除けが配設されてなることを特徴とする請求項２記載の集合住宅。
【請求項８】
日除けがシート型太陽電池とされてなることを特徴とする請求項７記載の集合住宅。
【請求項９】
住居部の中央にリビングが配設されてなることを特徴とする請求項１記載の集合住宅。
【請求項１０】
リビングの屋根に採光窓が配設されてなることを特徴とする請求項９記載の集合住宅。
【請求項１１】
リビングの屋根が幅方向に波型状とされ、前記波型の頂部に採光窓が配設されてなることを特徴とする請求項１０記載の集合住宅。
【請求項１２】
床下に中庭から出し入れ可能な収納設備が配設されてなることを特徴とする請求項１記載の集合住宅。
【請求項１３】
連通している中庭の隣接住戸との境界に開閉式柵が配設されてなることを特徴とする請求項１記載の集合住宅。
【請求項１４】
複数個が偶数個とされてなることを特徴とする請求項１記載の集合住宅。
【発明の詳細な説明】
【技術分野】
【０００１】
本発明は集合住宅に関する。さらに詳しくは、各住戸のブライバシーを保ちながら、集合住宅の住民相互のコミュニケーションが図られる集合住宅に関する。
【背景技術】
【０００２】
住宅の一形式として集合住宅が知られている。集合住宅においては、複数の家族が施設を共有するため、種々の問題が生じている。そのため、従来より、集合住宅における居住性を改善するため、種々の提案がなされている。
【０００３】
例えば、特許文献１には、図１２に示すように、中庭を囲むようにして複数棟の集合住宅１０１が配置された集合住宅１０１の配置構造Ｋにおいて、中庭の中央部から集合住宅１０１に向けて延びる通路１０２を放射状に配置し、さらに中庭の周囲に中庭を囲むように通路１０３を配置して、集合住宅１０１，１０１間で住人の行き来を容易にしたものが提案されている。
【０００４】
特許文献２には、開口部が最大限に確保される集合住宅を提供することを目的として、図１３に示すように、矩形状に整地された敷地内に通路２０１と、その通路２０１を挟んでその両側に複数の住戸２０２を通路２０１に沿ってそれぞれ長屋風に連続して配置し、そして各住戸２０２はその住戸２０２の一部がその住戸２０２と隣接する住戸２０２との間に平面視矩形状に突出した形状の住戸突出部２０３と専用の中庭２０４と駐車場２０５を配置してなる集合住宅２００が提案されている。
【０００５】
特許文献３には、比較的狭い１区画の土地を有効に活用し、住戸外のプライベート空間および住戸内のプライバシーを確保し、防犯性に優れた共同住宅を提供することを目的として、図１４に示すように、１区画の敷地に複数の住居棟が個別に建設される共同住宅３００であって、敷地は複数の住居棟３０１が建設された部分と、建設部分以外の部分であり、複数の住居棟３０１に居住する全ての居住者が使用可能な共有部分３０２とを備えてなるものが提案されている。
【０００６】
しかしながら、特許文献１および特許文献３の提案にあっては、独自の庭が欲しいという要求に応えることはできない。
【０００７】
特許文献２の提案にあっては、中庭２０４と称されていても通路２０１に面しているため、独自の庭といえても、完全な中庭２０４とは言えない。
【０００８】
また、いずれの提案においても屋上の活用については、何等の提案もなされていない。
【０００９】
さらに、いずれの提案においても平屋の集合住宅についての提案はなされていない。
【００１０】
なお、可動収納式ラセン階段については、特許文献４に提案がなされている。
【先行技術文献】
【特許文献】
【００１１】
【特許文献１】特開２０００−２７４０９３号公報
【特許文献２】特開２００７−３２１４９３号公報
【特許文献３】特開２０１０−２８５８０６号公報
【特許文献４】特開平５−７９１４１号公報
【発明の開示】
【発明が解決しようとする課題】
【００１２】
本発明はかかる従来技術の課題に鑑みなされたものであって、中庭が確保されるとともに、屋上も有効活用がされてなる平屋の集合住宅を提供することを目的としている。
【課題を解決するための手段】
【００１３】
本発明の集合住宅は、複数個の平屋住宅を隣接させて配設してなる集合住宅であって、前記各平屋住宅は矩形状とされ、前記隣接する各住戸の中央部に中庭が隣接させて設けられてなることを特徴とする。ここで、複数個は偶数個とされるのが好ましい。
【００１４】
本発明の集合住宅においては、屋上に周回状に屋上庭園が設けられてなるのが好ましい。その場合、中庭に屋上庭園へのラセン階段などの階段が配設されてなるのが好ましい。階段がラセン階段とされた場合、ラセン階段の上り口上の半ピッチ分の踏板が回転収納可能とされていたり、ラセン階段の踏板下のスペースが収納スペースとされていたりするのがさらに好ましい。
【００１５】
また、本発明の集合住宅においては、屋上庭園の通路に日除けが配設されてなるのが好ましい。その場合、日除けがシート型太陽電池とされてなるのがさらに好ましい。
【００１６】
また、本発明の集合住宅においては、住居部の中央にリビングが配設されてなるのが好ましい。
【００１７】
また、本発明の集合住宅においては、リビングの屋根に採光窓が配設されてなるのが好ましい。その場合、リビングの屋根が幅方向に波型状とされ、前記波型の頂部に採光窓が配設されてなるのがさらに好ましい。
【００１８】
また、本発明の集合住宅においては、床下に中庭から出し入れ可能な収納設備が配設されてなるのが好ましい。
【００１９】
また、本発明の集合住宅においては、連通している中庭の隣接住戸との境界に開閉式柵が配設されてなるのがさらに好ましい。
【発明の効果】
【００２０】
本発明は前記の如く構成されているので、都会であっても広い中庭を持つことができるとともに、平屋であるので家事が楽であるという優れた効果を奏する。
【００２１】
屋上に周回状に屋上庭園か配設されている本発明の好ましい形態においては、都会にあってもさらに広い庭を持つことができるという優れた効果を奏する。
【図面の簡単な説明】
【００２２】
【図１】本発明の一実施形態に係る集合住宅の一階平面図である。
【図２】同屋上平面図である。
【図３】同立面図である。
【図４】同実施形態における単一住戸の一階平面図であって、逆コの字状を呈するものである。
【図５】同実施形態におけるリビングの屋根の概略図である。
【図６】同実施形態におけるラセン階段の概略図であって、上り口上の半ピッチ分の踏板が収納された状態を示す。
【図７】同上り口上の半ピッチ分の踏板が引き出された状態を示す。
【図８】同実施形態におけるスライド式収設備の説明図である。
【図９】スライド収納庫の変形例の概略図である。
【図１０】キッチンの床下に設けられた床下収納設備の概略図である。
【図１１】本発明の変形例の概略図であって、屋上庭園の通路にオーニングテント風に太陽電池を配設した状態を示す。
【図１２】特許文献１の提案に係る集合住宅の概略図である。
【図１３】特許文献２の提案に係る集合住宅の概略図である。
【図１４】特許文献３の提案に係る集合住宅の概略図である。
【発明を実施するための形態】
【００２３】
以下、添付図面を参照しながら本発明を実施形態に基づいて説明するが、本発明はかかる実施形態のみに限定されるものではない。
【００２４】
本発明の一実施形態に集合住宅Ｋを図１〜図３に示す。
【００２５】
集合住宅Ｋは、図１〜図３に示すように、６戸の平屋１０を一棟の集合住宅Ｋとしてなるものとされる。各住戸１０は矩形状とされ、各住戸１０の隣接する中央部に中庭１１が連通させて設けられてなるものとされる。つまり、住居部１２は、図１および図４に示すように、平面視においてコの字状または逆コの字状を呈している。なお、図４に示す例は、逆コの字状を呈するものである。
【００２６】
住居部１２は、中央に居間（以下、リビングともいう）が配置された構成とされ、居間（リビング）が各要素、つまり一方に設けられた主寝室および主寝室に隣接する子供部屋と、反対側に設けられたダイニングおよびその奥に設けられたキッチンに通ずるようにされている。
【００２７】
リビングの屋根にはリビングの採光のために採光窓が設けられているが、後述する遊歩道や屋上庭園からの視線を遮るため、図５に示すように、屋根１３は幅方向に波型状とされ、それ頂部に採光窓１４が設けられるようにされている。
【００２８】
屋上２０には、図２に示すように、住民共用の遊歩道２１が周回状に設けられるとともに、屋上庭園２２が点在させて設けられている。遊歩道２１や屋上庭園２２により住民相互のコミュニケーションの促進が図られる。また、この遊歩道２１および屋上庭園２２により中庭１１に加えて広い庭を持つことができ、生活をより楽しむことができる。
【００２９】
遊歩道２１へは、中庭１１の適宜位置、例えば角に設けられたラセン階段２５(図２参照)により上がるようにされている。ラセン階段２５の上り口上の半ピッチ分の踏板２６は、図６および図７に示すように、収納可能とされて中庭１１のスペースを無用に占有することがないようにされている。なお、上側の踏板２６の下は、収納スペースとされて収納ボックス２７が置かれるようにされてもよい(図６および図７参照)。
【００３０】
また、中庭１１の隣接住戸１０との境界には、図示はされていないが、プライバシーを確保するため、高さが２メートル程度の開閉式柵が設けられている。なお、開閉式柵に替えて固定式柵とされてもよい。
【００３１】
床下には、図８に示すように、中庭１１から操作できるようにされたスライド式収納庫３１が収納されるようにされた床下収納設備３０が設けられている。スライド式収納庫３１は三方向に設けられている(図８（ｂ）参照)。つまり、スライド式収納庫３１は、リビングの床下、子供室の床下およびキッチンの床下に収納されるようにして設けられている。これにより、平屋のデメリットである収納スペース不足を解消できる。
【００３２】
ここで、スライド式収納庫３１の正面版３２は、図９に示すように、上下に突出した化粧版とされてもよい。
【００３３】
なお、スライド式収納庫３１は、図１０に示すように、キッチンの床下にクロス状に設けられるようにされてもよい。
【００３４】
このように、本実施形態によれば、平屋の良さ、例えば家族のコミュニケーションが図りやすい、室内で子供が階段から落ちるおそれがない、掃除なとの家事が楽といった平屋の良さを確保しながら、中庭１１の他に広い庭も得ることができる。
【００３５】
以上、本発明を実施形態に基づいて説明してきたが、本発明はかかる実施形態のみに限定されるものではなく、種々改変が可能である。
【００３６】
例えば、図１１に示すように、屋上庭園の通路にオーニングテント風にシート型太陽電池４０を配設して日除け通路としながら発電をするようにされてもよい。しかして、太陽電池４０を設置することにより、集合住宅Ｋにおける電力料金の低減が図られる。
【産業上の利用可能性】
【００３７】
本発明は住宅産業に適用できる。
【符号の説明】
【００３８】
Ｋ      集合住宅
１０      住戸
１１      中庭
１２      住居部
１３      屋根
１４      採光窓
２０      屋上
２１      遊歩道
２２      屋上庭園
２５      ラセン階段
２６      踏板
２７      収納ボックス
３０      床下収納設備
３１      スライド式収納庫
３２      正面版
４０      シート型太陽電池
【図１】
2014092012.tif 000003
【図２】
2014092012.tif 000004
【図３】
2014092012.tif 000005
【図４】
2014092012.tif 000006
【図５】
2014092012.tif 000007
【図６】
2014092012.tif 000008
【図７】
2014092012.tif 000009
【図８】
2014092012.tif 000010
【図９】
2014092012.tif 000011
【図１０】
2014092012.tif 000012
【図１１】
2014092012.tif 000013
【図１２】
2014092012.tif 000014
【図１３】
2014092012.tif 000015
【図１４】
2014092012.tif 000016